(57)【要約】【課題】生産後に新たに開設された放送局のＥＰＧを表示できるアナログ放送受信装置を提供することである。【解決手段】アナログ放送受信装置を備えたＤＶＤレコーダ１０は、テレビ放送電波を受信する受信部１１と、テレビ放送電波のＶＢＩからＥＰＧデータを取り出すＥＰＧ抽出部１４と、ＧＣＮコードを一覧にしたＧＣＮテーブルを記憶するＲＯＭと、ＧＣＮテーブルに登録されている放送局のＥＰＧを抽出して出力するよう制御する制御部１６とを備え、受信したＥＰＧデータを解析し、ＧＣＮテーブルにない新たなＧＣＮコードが検出されると、検出された新たなＧＣＮコードをＧＣＮテーブルに追加する構成とする。【選択図】図１
2007214692.tif 000002
【特許請求の範囲】
【請求項１】
テレビ放送電波を受信する受信部と、テレビ放送電波のＶＢＩからＥＰＧデータを取り出すＥＰＧ抽出部と、ＧＣＮコードを一覧にしたＧＣＮテーブルを記憶するＲＯＭと、前記ＧＣＮテーブルに登録されている放送局のＥＰＧを抽出して出力するよう制御する制御部とを有するアナログ放送受信装置を備えたＤＶＤレコーダにおいて、
受信したＥＰＧデータを解析し、前記ＧＣＮテーブルにない新たなＧＣＮコードが検出されると、検出された新たなＧＣＮコードを前記ＧＣＮテーブルに追加することを特徴とするＤＶＤレコーダ。
【請求項２】
テレビ放送電波を受信する受信部と、テレビ放送電波のＶＢＩからＥＰＧデータを取り出すＥＰＧ抽出部と、ＧＣＮコードを一覧にしたＧＣＮテーブルを記憶する記憶部と、前記ＧＣＮテーブルに登録されている放送局のＥＰＧを抽出して出力するよう制御する制御部とを備えたアナログ放送受信装置において、
受信したＥＰＧデータを解析し、前記ＧＣＮテーブルにない新たなＧＣＮコードが検出されると、検出された新たなＧＣＮコードを前記ＧＣＮテーブルに追加することを特徴とするアナログ放送受信装置。
【請求項３】
テレビ放送電波を受信する受信部と、テレビ放送電波のＶＢＩからＥＰＧデータを取り出すＥＰＧ抽出部と、ＧＣＮコードを一覧にしたＧＣＮテーブルを記憶する記憶部と、前記ＧＣＮテーブルに登録されている放送局のＥＰＧを抽出して出力するよう制御する制御部とを備えたアナログ放送受信装置において、
受信したＥＰＧデータを解析し、前記ＧＣＮテーブルにない新たなＧＣＮコードが検出されると、検出結果を報知し、
前記ＧＣＮテーブルへ前記新たなＧＣＮコードを追加する旨の指示があれば、該追加を実行することを特徴とするアナログ放送受信装置。
【発明の詳細な説明】
【技術分野】
【０００１】
本発明は、ＥＰＧを利用したアナログ放送受信装置及びそれを備えたＤＶＤレコーダに関するものである。
【背景技術】
【０００２】
従来、地上アナログ放送の放送電波に文字信号を重畳させ、放送する番組のジャンルや放送時間などに関するＥＰＧ（電子番組表：Electronic Program Guide）を送信する技術が普及している。このＥＰＧは、テレビ放送受信装置等の放送受信装置により取り出され、テレビ画面に番組表として表示させることにより、視聴者の好みに合わせた番組の検索を行うことができる。この放送受信装置は、ビデオテープレコーダ、ＤＶＤレコーダ、ＨＤＤレコーダ等にも搭載されている。
【０００３】
図５は、ＥＰＧをテレビ画面に表示させるためのＧガイドシステム１００のシステム構成を示す概略図である。Ｇガイドシステム１００は、送信側において、放送事業者により作成された番組案内情報を所定のファイル形式に変換し、圧縮、暗号化した後、テレビ放送電波のＶＢＩ（垂直帰線消去時間：Vertical Blanking Interval）に文字信号を挿入して編成し、送出装置から各放送受信装置へ送信する。一方、受信側は、放送受信装置によりテレビ放送電波を受信してＶＢＩから文字信号をデータとして取り出し、このデータを一旦メモリ等に格納した後、データの復号化、伸長を行って、上述した所定のファイルを取り出して、テレビ画面に番組表として表示させる。
【０００４】
ところでＥＰＧの利用については様々な提案がなされている。例えば特許文献１には、番組案内データ集配信システムが開示されている。この文献によれば、各放送局は全局ＥＰＧデータに自局のデータを提供し、また全局ＥＰＧデータから他局のデータを取得して配信する。これにより、新たに放送局が増えた場合でも、各局のシステムを変更することなくＥＰＧを提供できる。
【０００５】
また特許文献２には、デジタル放送のサービス記述テーブルとイベント情報テーブルから、サービスの増減を判定する番組情報表示装置が開示されている。
【０００６】
また特許文献３には、機器の初期設定でのチャンネルサーチや、非視聴時の再チャンネルサーチにより、新しい放送局に対応するディジタル放送受信装置が開示されている。
【特許文献１】特開２０００−１０１５２５号公報
【特許文献２】特開２００１−８６４２５号公報
【特許文献３】特開２００４−１２８８８３号公報
【発明の開示】
【発明が解決しようとする課題】
【０００７】
しかしながら、上記の特許文献１は、ＥＰＧの送信側についての発明であり、受信側のことは記載されていない。また特許文献２では、現在視聴可能なチャンネルのリストを得ることはできるが、新しい放送局が開設された場合には対応していない。また特許文献３では、周波数を検出する再チャンネルサーチにより新しい放送局の開設があってもその放送番組を視聴できるが、新たな放送局のＥＰＧを取得する技術については記載されていない。
【０００８】
このように、従来の放送受信装置では、新たに開設された放送局がある場合に、その周波数を検出することで放送番組を受信することはできるが、その放送局に関するＥＰＧを表示することはできない。放送受信装置は予めＧＣＮコード（放送局の番号）を一覧にしたＧＣＮテーブルを有しており、このＧＣＮテーブルに登録されている放送局のＥＰＧだけを表示する仕組みになっているからである。もし、新たに開設された放送局のＥＰＧを表示できるようにしたければ、装置内のＥＰＧソフトウェアをアップデートすることが考えられるが、費用と手間がかかる。
【０００９】
本発明は、生産後に新たに開設された放送局のＥＰＧを表示できるアナログ放送受信装置を提供することを目的とする。また、このアナログ放送受信装置を備えたＤＶＤレコーダを提供することも目的とする。
【課題を解決するための手段】
【００１０】
上記目的を達成するために本発明は、テレビ放送電波を受信する受信部と、テレビ放送電波のＶＢＩからＥＰＧデータを取り出すＥＰＧ抽出部と、ＧＣＮコードを一覧にしたＧＣＮテーブルを記憶する記憶部と、前記ＧＣＮテーブルに登録されている放送局のＥＰＧを抽出して出力するよう制御する制御部とを備えたアナログ放送受信装置において、
受信したＥＰＧデータを解析し、前記ＧＣＮテーブルにない新たなＧＣＮコードが検出されると、検出された新たなＧＣＮコードを前記ＧＣＮテーブルに追加することを特徴とする。
【００１１】
この構成によると、アナログ放送受信装置の生産後に新たに開設された放送局があると、受信したＥＰＧデータから新たな放送局に対応するＧＣＮコードが検出され、記憶部のＧＣＮテーブルを自動的に更新することで新たに開設された放送局のＥＰＧを直ぐに表示できるようになる。
【００１２】
テレビ放送電波を受信する受信部と、テレビ放送電波のＶＢＩからＥＰＧデータを取り出すＥＰＧ抽出部と、ＧＣＮコードを一覧にしたＧＣＮテーブルを記憶する記憶部と、前記ＧＣＮテーブルに登録されている放送局のＥＰＧを抽出して出力するよう制御する制御部とを備えたアナログ放送受信装置において、
受信したＥＰＧデータを解析し、前記ＧＣＮテーブルにない新たなＧＣＮコードが検出されると、検出結果を報知し、
前記ＧＣＮテーブルへ前記新たなＧＣＮコードを追加する旨の指示があれば、該追加を実行することを特徴とする。
【００１３】
この構成によると、アナログ放送受信装置の生産後に新たに開設された放送局があると、受信したＥＰＧデータから新たな放送局に対応するＧＣＮコードが検出され、検出結果をユーザに報知し、ユーザから指示があれば記憶部のＧＣＮテーブルを更新することで新たに開設された放送局のＥＰＧを表示できるようになる。
【００１４】
上記の本発明を具体化すると、テレビ放送電波を受信する受信部と、テレビ放送電波のＶＢＩからＥＰＧデータを取り出すＥＰＧ抽出部と、ＧＣＮコードを一覧にしたＧＣＮテーブルを記憶するＲＯＭと、前記ＧＣＮテーブルに登録されている放送局のＥＰＧを抽出して出力するよう制御する制御部とを有するアナログ放送受信装置を備えたＤＶＤレコーダにおいて、
受信したＥＰＧデータを解析し、前記ＧＣＮテーブルにない新たなＧＣＮコードが検出されると、検出された新たなＧＣＮコードを前記ＧＣＮテーブルに追加する構成となる。
【発明の効果】
【００１５】
本発明によれば、生産後に新たに開設された放送局のＥＰＧを表示できるので、ユーザは最新のＥＰＧを有効に利用することができる。
【発明を実施するための最良の形態】
【００１６】
以下、アナログ放送受信装置を搭載したＤＶＤレコーダを例に説明する。図１は、ＤＶＤレコーダの構成を示すブロック図、図２は、図１のＥＰＧ抽出部及び制御部の構成を示すブロック図である。なお、図１及び図２は、本発明に必要な構成のみを示し、説明が不要なその他の構成は省略してある。ＤＶＤレコーダ１０は、受信部１１、音声検波回路１２、映像検波回路１３、ＥＰＧ抽出部１４、ＤＶＤ記録再生部１５、制御部１６、音声出力端子１７、映像出力端子１８、受光部１９、リモコン２０等から構成されている。
【００１７】
受信部１１は、アンテナ１１ａを備え、放送局から送られてくる放送電波をアンテナ１１ａにより受信し、その中から所望の放送番組を選局して受信するチューナとしての機能を有している。受信部１１は、受信した放送電波のうち映像信号及び音声信号を抽出して、映像信号及び音声信号をそれぞれ映像検波回路１３及び音声検波回路１２に出力する。また、受信部１１は、放送電波に重畳された文字信号を抽出するためのＥＰＧ抽出部１４へ放送電波を出力する。
【００１８】
音声検波回路１２は、受信部１１から入力された映像信号及び音声信号のうち音声信号を検波して、この音声信号を増幅回路（不図示）により増幅して音声出力端子１７から出力する。音声出力端子１７はテレビ放送受信装置等のスピーカ（不図示）に接続されている。
【００１９】
映像検波回路１３は、受信部１１から入力された映像信号及び音声信号のうち映像信号を検波して、この映像信号を増幅回路（不図示）により増幅して映像出力端子１８から出力する。映像出力端子１７はテレビ放送受信装置等のモニタ（不図示）に接続されている。
【００２０】
ＥＰＧ抽出部１４は、放送電波に重畳して送出される文字信号を抽出して、ＥＰＧを取得する。ここで、ＥＰＧには、放送局のＧＣＮコード、番組の番組名、放送日、番組開始時間、番組終了時間、予約コード、チャンネル、ジャンル等の情報が２週間分程度含まれており、これらの情報がＥＰＧ記憶部（図２参照）に記憶される。
【００２１】
ＤＶＤ記録再生部１５は、受信した放送番組を挿入されたＤＶＤに記録したり、ＤＶＤに記録されたデータを再生したりする。
【００２２】
制御部１６は、リモコン１９から送出された選局操作やモード選択操作等が受光部１８を介して入力されると、システムプログラムや制御プログラムに従ってＤＶＤレコーダ１０の各部を駆動制御する。
【００２３】
図２を参照してＥＰＧ抽出部１４及び制御部１６について詳細に説明する。図２に示すように、ＥＰＧ抽出部１４は、データ取込回路１４ａ、バッファメモリ１４ｂ、ＥＰＧ記憶部１４ｃ、出力ＩＦ１４ｄ等から構成されている。また制御部１６は、ＣＰＵ（Central Processing Unit）１６ａ、ＲＯＭ（Read Only Memory）１６ｂ及びＲＡＭ（Random Access Memory）１６ｃからなる記憶部、入力ＩＦ１６ｄ等から構成されている。そして、ＥＰＧ抽出部１４の各部及び制御部１６の各部はバス１６ｅにより接続されている。
【００２４】
データ取込回路１４ａは、受信部１１から入力された映像信号からそのＶＢＩに挿入されたＥＰＧデータである文字信号を抽出して、この文字信号に対して同期再生及び誤り訂正を行った後、バッファメモリ１４ｂに一時的に記憶する。バッファメモリ１４ｂは、ＣＰＵ１６ａの制御に応じて、蓄積されたＥＰＧデータをページ単位でＥＰＧ記憶部１４ｃへ出力する。
【００２５】
ＥＰＧ記憶部１４ｃは、バッファメモリ１４ｂからページ単位で転送されるＥＰＧデータを記憶し、ＣＰＵ１６ａの制御により、送信側の送出装置からＥＰＧが送出される時刻になるとＥＰＧを更新して記憶する。出力ＩＦ１４は、ＥＰＧ記憶部１４ｃから読み出されるＥＰＧをモニタへ出力する。
【００２６】
ＣＰＵ１６ａは、ＲＯＭ１６ｂに記憶されている制御プログラム及びＲＡＭ１６ｃに記憶されている制御データにより動作する。ＣＰＵ１６ａは、データ取込回路１４ａにおける文字信号のタイミング制御及びデータ取込回路１４ａからバッファメモリ１４ｂへのデータ転送を制御する。また、ＣＰＵ１６ａは、バッファメモリ１４ｂに一時的に記憶させたＥＰＧデータをページ単位でＥＰＧ記憶部１４ｃに転送して記憶させる。
【００２７】
ＣＰＵ１６ａは、送信側の送出装置からＥＰＧが送出される時刻になると、ＥＰＧ抽出部１４を制御して新たなＥＰＧデータを取得させる。これによりＥＰＧ記憶部１４ｃに記憶させたＥＰＧを更新することができる。
【００２８】
ここで、ＣＰＵ１６ａは、ＧＣＮテーブルに登録されている放送局のＥＰＧを抽出して出力するよう制御する。言い換えれば、ＧＣＮテーブルに登録されていない放送局のＥＰＧは抽出されず、従ってモニタに表示もされない。ここでいうＧＣＮテーブルは、放送局名とそのＧＣＮコードとを対応させて一覧にしたものであり、ＲＯＭ１６ｂに記憶されている。生産時に開局している放送局については予めＧＣＮテーブルに登録されているが、その後に開局する放送局についてはＧＣＮテーブルには登録されていない。従って、出荷時の状態では新たに開局する放送局のＥＰＧを表示させることはできない。
【００２９】
また、ＣＰＵ１６ａは、リモコン１９からＥＰＧの表示指示が入力されると、ＥＰＧ記憶部１４ｃからＥＰＧを読み出し、出力ＩＦ１４ｄからＥＰＧを出力し、モニタにＥＰＧを表示させる。
【００３０】
入力ＩＦ１６ｄは、受光部１８を介して入力される操作指示をＣＰＵ１６ａへ出力する。
【００３１】
また、制御部１６は、新たに開設された放送局のＥＰＧを表示できるようにする制御も行う。以下にこの制御について説明する。図３は、新たな放送局の開設に対応したＤＶＤレコーダ１０の動作を示すフローチャートである。
【００３２】
まず、ステップＳ１０においてＥＰＧデータを受信すると、ステップＳ１１へ進んでＥＰＧデータを解析し、ＧＣＮコードを検出する。そして、ステップＳ１２へ進んで、検出したＧＣＮコードと、ＲＯＭ１６ｂに記憶されているＧＣＮテーブル中のＧＣＮコードとを比較して、受信したＥＰＧデータ中に、ＧＣＮテーブルにない新たなＧＣＮコードがあるか否かを判定する。
【００３３】
ステップＳ１２において新たなＧＣＮコードが検出された場合は、ステップＳ１３へ進んで、検出された新たなＧＣＮコードをＧＣＮテーブルに追加する。これにより、ＥＰＧ抽出部１４で新たなＧＣＮコードに対応する放送局のＥＰＧが抽出され、そのＥＰＧがモニタに表示可能となる。そして、ユーザによりリモコン２０等が操作されてＥＰＧ表示の指示があると、新たな放送局を含むＥＰＧを表示させる。
【００３４】
一方、ステップＳ１２において新たなＧＣＮコードが検出されない場合は、新たに開局した放送局はないと判断してこの処理を終了する。この場合は、ＥＰＧの表示の指示があると、通常通りのＥＰＧを表示させる。
【００３５】
上記の実施形態によると、ＤＶＤレコーダ１０の生産後に新たに開設された放送局があると、受信したＥＰＧデータから新たな放送局に対応するＧＣＮコードが検出され、ＲＯＭ１６ｂのＧＣＮテーブルを自動的に更新することで新たに開設された放送局のＥＰＧを直ぐに表示できるようになる。その結果、ユーザは最新のＥＰＧを有効に利用することができる。
【００３６】
次に、新たに開設された放送局のＥＰＧを表示できるようにする制御についての他の実施形態を説明する。図４は、新たな放送局の開設に対応したＤＶＤレコーダ１０の他の実施形態における動作を示すフローチャートである。図３と同様の処理については同じ符号を付してその詳細な説明は省略する。
【００３７】
まず、ステップＳ１０からステップＳ１２を実行する。ステップＳ１２において新たなＧＣＮコードが検出された場合は、ステップＳ２０へ進んで検出結果を報知する。この報知は、例えば、新たな放送局が検出されたがＧＣＮテーブルへ新たなＧＣＮコードを追加してよいかという旨のメッセージをモニタに表示すればよい。
【００３８】
その後ステップＳ２１へ進んでユーザからの入力指示を待ち、検出された新たなＧＣＮコードを追加してよいという指示があれば、ステップＳ１３へ進んで、検出された新たなＧＣＮコードをＧＣＮテーブルに追加する。
【００３９】
一方、ステップＳ１２において新たなＧＣＮコードが検出されない場合、又はステップＳ２１において新たなＧＣＮコードを追加しないという指示があった場合は、この処理を終了する。
【００４０】
上記の実施形態によると、ＤＶＤレコーダ１０の生産後に新たに開設された放送局があると、受信したＥＰＧデータから新たな放送局に対応するＧＣＮコードが検出され、検出結果をユーザに報知し、ユーザから指示があればＲＯＭ１６ｂのＧＣＮテーブルを更新することで新たに開設された放送局のＥＰＧを表示できるようになる。その結果、ユーザは最新のＥＰＧを有効に利用することができる。
【００４１】
なお、予めＲＯＭ１６ｂには、国が定義している全てのチャンネルに対応する周波数を記載したテーブルが記憶されており、一方、ＥＰＧデータにはチャンネルの情報が含まれているので、新たに開局した放送局のＧＣＮコードが検出された場合、このＧＣＮコードに対応する放送局のチャンネルと周波数がわかる。従って、このチャンネルの周波数を受信するように制御すれば、ユーザは新たに開局した放送局の番組を視聴することができる。
【産業上の利用可能性】
【００４２】
本発明の放送受信装置は、テレビ放送受信装置をはじめ、ビデオテープレコーダ、ＤＶＤレコーダ、ＨＤＤレコーダ等やそれらの複合機に搭載することができる。
【図面の簡単な説明】
【００４３】
【図１】本発明のＤＶＤレコーダの構成を示すブロック図である。
【図２】本発明の図１のＥＰＧ抽出部及び制御部の構成を示すブロック図である。
【図３】本発明の新たな放送局の開設に対応したＤＶＤレコーダの動作を示すフローチャートである。
【図４】本発明の新たな放送局の開設に対応したＤＶＤレコーダの他の実施形態における動作を示すフローチャートである。
【図５】従来のＧガイドシステムのシステム構成を示す概略図である。
【符号の説明】
【００４４】
１０    ＤＶＤレコーダ
１１    受信部
１４    ＥＰＧ抽出部
１６    制御部
１６ｂ    ＲＯＭ
【図１】
2007214692.tif 000003
【図２】
2007214692.tif 000004
【図３】
2007214692.tif 000005
【図４】
2007214692.tif 000006
【図５】
2007214692.tif 000007